(57)【要約】【課題】  スイッチ装置を押下した時の操作ボタン押下時の指へのフィードバックが少ない為、ボタンを押下し、スイッチ装置が確実にオン動作されているかどうかを判断する事は難しい。【解決手段】  本発明に係るスイッチ装置は、電子機器を操作するスイッチ装置と前記スイッチの操作時に操作者に与える振動を発生させる振動発生手段を備えたものである。  かかる構成により、操作者がスイッチ手段を操作した際に、スイッチ手段がオン動作した時には、振動発生手段により振動を与えて操作者に伝え、また、スイッチ手段を操作し、スイッチ手段がオン動作しなかった時には、操作者には振動を与えない。（又は、その逆で、オン動作しなかった時に振動を与える。）電子機器のスイッチ装置を操作実行した時に、スイッチ装置のオン動作が行われた事を操作者に伝え、感覚的にスイッチのオン動作が判断できようになり、操作性の向上につながるスイッチ装置を提供する。【選択図】  図２
2007042504.tif 000002
【特許請求の範囲】
【請求項１】
電子機器を操作するスイッチ手段と、前記スイッチの操作時に操作者に与える振動を発生させる振動発生手段を具備し、前記操作者が前記スイッチ手段を操作した際に、前記スイッチ手段がオン動作または非オン動作したことを、前記振動発生手段により振動を与えて、前記操作者に伝える事を特徴とするスイッチ装置。
【請求項２】
前記スイッチ手段が、押しボタンを押すことでオン、オフ動作をする押しボタン式のスイッチである事を特徴とする請求項１に記載のスイッチ装置。
【請求項３】
前記押しボタン下面に導電パターンがあり、前記押しボタンを受ける基板上にも導電パターンが形成されており、前記押しボタンの導電パターンと前記基板上の導電パターンが導通する事でスイッチ動作をする事を特徴とする請求項１に記載のスイッチ装置
【請求項４】
前記振動子が、前記押しボタンの略中央の前記基板上に配置してある事を特徴する請求項１に記載のスイッチ装置。
【請求項５】
前記押しボタンの下面に凹形状が形成されており、前記凹形状に収まるように前記振動子が配置されている事を特徴とする請求項１に記載のスイッチ装置。
【請求項６】
前記押しボタンを押下した後、撮影枚数の増加を判断し、増加の際には、振動を発生させる請求項１に記載のスイッチ装置
【請求項７】
前記押しボタンを押下した後、撮影枚数の増加を判断し、枚数の増加が無い際には、振動を発生させる請求項１に記載のスイッチ装置
【請求項８】
前記振動発生手段が圧電素子構成の振動子である事を特徴とする請求項１に記載のスイッチ装置。
【発明の詳細な説明】
【技術分野】
【０００１】
本発明は、電子機器を操作するスイッチ装置に関するものである。
【背景技術】
【０００２】
従来の電子機器を操作するスイッチ装置として、押しボタン式のスイッチ装置がある。この押しボタンスイッチの場合、操作者は、実行したいコマンドが表示されたボタンを押下する事で実行できる。また、押しボタンの裏側にバネ部材を付け、押しボタンに押下力、ストロークを持たせていた。
【０００３】
また、上記のスイッチ装置にあっては、押しボタンを押すだけなので、操作者の指へのフィードバックの情報が少ない。ボタン押下時に操作者の指へのフィードバックの情報を与える技術として、例えば、特開2003-272463号公報に記載されたスイッチ装置では、車載機器を操作するスイッチ手段と、スイッチ装置に設けられ、且つ操作者がスイッチ手段を操作する圧力を検出する圧力検出手段と、スイッチ手段の操作時に操作者に与える振動を発生させる振動発生手段と、圧力検出手段で検出された検出圧力信号により振動発生手段が発生した振動の振動量を制御して、スイッチ手段を弱く押した時は操作者に与える振動を強くし、スイッチ手段を強く押した時は、操作者に与える振動を弱くするように制御する振動制御手段を備えたものとなっている。
【特許文献１】特開2003-272463号公報
【発明の開示】
【発明が解決しようとする課題】
【０００４】
しかしながら、スイッチ装置を押下した時の操作ボタン押下時の指へのフィードバックはあるものの、そのフィードバック情報では、ボタンを押下し、スイッチ装置が確実にオン動作されているかどうかを判断する事は難しい。そこで、ボタン操作後にスイッチ装置が確実にオン動作した事が操作者へフィードバックされる事が操作性の向上につながる。
【０００５】
本発明では、上記の問題点に着目して成されたものであって、その目的とするところは、電子機器のスイッチ装置を操作実行した時に、スイッチ装置のオン動作が行われた事を操作者に伝え、感覚的にスイッチのオン動作が判断できるようになり、操作性の向上につながるスイッチ装置を提供する事にある。
【課題を解決するための手段】
【０００６】
上記の目的を達成する為に、本発明に係るスイッチ装置は、電子機器を操作するスイッチ装置と前記スイッチの操作時に操作者に与える振動を発生させる振動発生手段を備えたものである。
【０００７】
かかる構成により、操作者がスイッチ手段を操作した際に、スイッチ手段がオン動作した時には、振動発生手段により振動を与えて操作者に伝え、また、スイッチ手段を操作したが、スイッチ手段がオン動作しなかった時には、操作者には振動を与えない。
【発明の効果】
【０００８】
本発明によれば、スイッチ装置の押下時に振動を操作者に与えるのでなく、スイッチ装置のオン動作の有無で操作者に振動を与える事により、操作者はスイッチの実行が体感する事ができ、操作性の向上につながる。
【発明を実施するための最良の形態】
【０００９】
以下、本発明の一実施形態について図面を参照しながら説明する。
【実施例１】
【００１０】
図１は本発明の実施例を示すデジタルカメラの斜視図である。図２は本発明に係るスイッチ装置のレリーズボタンの構成説明図、図３は図２のレリーズボタンを押下した際の構成説明図、図４はレリーズボタンが振動子により振動している構成図、図５は図２のレリーズボタンを除いた上面図である。図６は、本発明に係る部分の機能ブロック図、図７は、本実施例の動作をフローチャートにしたものである。
【００１１】
まず図１に於いて、１は電子機器装置（本発明ではデジタルカメラを示す）の外装であるカメラ筐体、２は撮影光学系を構成している鏡筒、３は鏡筒２のズーム動作に連動して所定のズーム倍率が得られる様に位置が変動し被写体像を観察する為のファインダ、４は不図示のファインダブロックに一体に形成され配設された撮影時の赤目を緩和させる為の補助光、５はストロボ、６は動画撮影時に周りの音声を記録する為マイク等の音響素子が配設され設けられたマイク穴、７は電源ボタン、８はレリーズボタンである。
【００１２】
本発明に係るスイッチ装置は、図２により、１は前記カメラ筐体、８は前記レリーズボタン、９は前記レリーズボタンに振動を与える振動子、１０はスイッチ装置を実装している基板である。前記基板１０上には、図５の１１で示すように導電パターンがあり、レリーズボタン８を押下した際にボタン下面の導電パターン１３と接触し導通する事でオン動作し、この押圧を解除する事で、オフ動作をする、構成となっている。
【００１３】
図５の１１の導電パターンは、基板１０上のレリーズボタン８の略同心円状に配置してあり、レリーズボタン８下面の導電パターン１３もレリーズボタンの同心円状に配置してある。そのため、例えレリーズボタン８が傾いたまま操作者に押されても、基板１０上の導電パターン１１の円周上の一部にレリーズボタン８下面の導電パターン１３の一部が触れれば導通となる為、確実にスイッチ動作を行う事ができる。
【００１４】
また、レリーズボタン８は、バネ部材１２によって、常に図２の上方向に８aが１aに当接するまで押し戻すようになっている。
【００１５】
図６において、２４は、レリーズボタン８が操作者に押され、オン動作（ボタン下面の導電パターン１３が基板１０上の導電パターン１１に接触、導通し、スイッチ動作が行われた時。本実施例では、レリーズボタンが本発明のスイッチ装置である為、オン動作は、写真が撮影された時である。）を感知するスイッチ制御部であり、２２は、２４のスイッチ制御部がオン動作した際に振動子９に対して、振動するよう命令する振動制御部である。２３は、振動子９が振動制御部２２の命令により発生した振動をレリーズボタン８に伝える振動機構（図２，３，４）である。また、２１は、上記制御部、駆動機構を含めて、本実施形態に係るデジタルカメラ全体の制御を司る全体制御部であり、図示を省略した、液晶表示装置等も、この制御部からの指示により動作する。
【００１６】
そして、図２、図５に示すように、振動子９は、レリーズボタン８の略中央になるように基板１０上に配置されており、レリーズボタン８が完全に押下された際に当接する。（図３）また、図２で示すように、レリーズボタン８の下面の略中央に凹形状がある。この凹形状に振動子９が収まるような構成となっており、凹形状に振動子８が収まることで、レリーズボタン８の厚み方向のスペース効率を上げる事が可能である。また、凹形状にしてある為、レリーズボタン８をモールド部品とした時には、ヒケ対策にもなる。この振動子９として、電荷を与える事で伸縮する圧電素子を使用する。
【００１７】
また、前述したように、スイッチ動作を行う導電パターン１３は、レリーズボタン８の外周に配置してあり、振動を与える振動子９は、レリーズボタン８の略中央に配置してある構成である為、スイッチ動作、振動動作をレリーズボタン８の投影面積だけで行う事が可能となり、スペース効率を上げる事が可能となる。
【００１８】
次に、上記のように構成されたスイッチ装置（レリーズボタン）の動作を詳しく説明する。
【００１９】
操作者がレリーズボタンの押しボタン８を押下し（図７、ＳＴＥＰ １）、ボタン下面の導電パターン１３が基板１０上の導電パターン１１に接触、導通し（図７、ＳＴＥＰ ２）、オン動作した場合（前記スイッチボタンはレリーズボタンである為、スイッチボタンがオン動作した事とは、写真撮影ができたことと同様である。図７、ＳＴＥＰ３のＹ方向。）に図６の振動制御部２２から圧電素子９に電荷を与えるように命令し（図７、ＳＴＥＰ ４）、圧電素子９は電荷を与えられて伸縮をする。（図４）圧電素子９に電荷の付加を繰り返し行うことにより、圧電素子９は伸縮を繰り返して振動し（図７、ＳＴＥＰ ５）、その振動がレリーズボタン８を伝って、レリーズボタン８を押している操作者にスイッチ装置がオン動作した事を伝える。（図７、ＳＴＥＰ ６）圧電素子９が、レリーズボタン８の略中央に配置してある事で、レリーズボタン８に振動を与える時、振動子９が均等にレリーズボタン８に接触し、レリーズボタン８の中央に振動与える事から振動を確実にレリーズボタン８に伝える事ができる。また、操作者がスイッチ装置の押しボタン８を押下したが、オン動作しない場合（ボタン下面の導電パターン１３が基板１０上の導電パターン１１に接触していない、もしくは、ボタン下面の導電パターン１３が基板１０上の導電パターン１１に接触、導通したが、オン動作しない。前記スイッチボタンはレリーズボタンである為、スイッチ装置がオン動作していないという事は写真撮影ができていない状態と同様である。）には、圧電素子９には電荷を与えずに、振動をさせない。振動をさせない事で、オン動作した時とは異なる挙動をする事で、レリーズボタン８を押している操作者にオン動作していない事を伝える。
【００２０】
以上、説明したように、本実施の形態１によれば、電子機器のスイッチ装置として、スイッチ装置の押しボタン８を押下し、スイッチがオン動作した時に、操作者に振動を与え、スイッチがオン動作しなかった時に、操作者に振動を与えなければ、操作者がボタンを押している指だけの感覚で確実にスイッチ動作が実行されているか判断できる為、操作性の向上につながる。
【実施例２】
【００２１】
第２の実施形態に係る基本構成は、第１実施例と同様であるので、その説明は、省略する。また、第２の実施形態の動作も第１実施例と同様である為、その説明は、省略する。本実施例では、第１実施例との差異を説明する。
【００２２】
本実施例と第１の実施例での差異は、レリーズボタン８の振動するタイミングが異なっている。
【００２３】
第１実施例では、レリーズボタン８の振動するタイミングが、レリーズボタン８を押下し、オン動作した際となっていた。よって、オン動作したという事は、写真が撮れた事と同じであるため、外部記憶装置（メモリーカード）に、所望の写真が収めれている。
【００２４】
本実施例での、レリーズボタン８の振動するタイミングは、レリーズボタン８を押下し、レリーズボタン下面１３の導電パターンが基板１０上の導電パターン１１に接触し、導通はしたが、オン動作しなかった際（写真撮影ができなかった場合）に、振動する構成となっている。つまり、レリーズボタン８を押下したが、写真を撮る事ができなかった際に振動をする。図７、ＳＴＥＰ３のＹ，Ｎの方向が第１の実施例とは逆方向となる。
【００２５】
全体制御部２１が、レリーズボタン８を押下された後に、不図示の外部記憶装置（メモリーカード）を読み込み、レリーズボタン８を押下する前後で、写真の枚数が増加しているかどうかを判断し、枚数が増加していれば、正常に写真撮影が行われたと判断して、振動制御部２２は、振動子９に対して、何もしない。逆に、レリーズボタン８を押下する前後で、写真の枚数が増加していなければ、写真撮影が正常に行われていないと判断をし、振動制御部２２は、振動子９に対して、振動するように命令を出し、レリーズボタン８は、振動する構成となっている。
【００２６】
以上、説明したように、本実施の形態では、電子機器のスイッチ装置として、スイッチ装置の押しボタン８を押下し、スイッチがオン動作しなかった際に、操作者に振動を与える事で、操作者にオン動作しなかった事を警告し、操作性の向上につながる。
【００２７】
なお、本発明は、前記実施形態に限定されるものではなく、例えば、レリーズボタンを本発明のスイッチ装置としたが、これに限らずどのボタンでも使用可能であり、また、スイッチ装置がオン動作した際にスイッチ装置が振動し、操作者に伝える構成となっていたが、実施例２で説明した、スイッチ装置を押下し、オン動作しなかった際にスイッチ装置が振動し、操作者にオン動作しなかった事を警告する構成であっても構わない。
【図面の簡単な説明】
【００２８】
【図１】本発明の実施例を示すデジタルカメラの斜視図。
【図２】本発明の実施例を示すスイッチ装置の断面構成図。
【図３】図２のボタン押下時の断面構成図。
【図４】図２の振動子に電荷を与えた時の断面構成図。
【図５】図２のレリーズボタンを除いた上面図。
【図６】本発明の実施例に係るカメラの機能のブロック図。
【図７】本発明の実施例に係る押しボタンの動作のフローチャート。
【符号の説明】
【００２９】
１  カメラ筐体
２  鏡筒
３  ファインダ
４  補助光
５  ストロボ
６  マイク穴
７  電源ボタン
８  レリーズボタン
９  振動子
１０  基板
１１  基板上の導電パターン
１２  ボタンを押し上げるバネ
１３  ボタン下面の導電パターン
２１  全体制御部
２２  振動制御部
２３  振動機構
２４  スイッチ制御部
【図１】
2007042504.tif 000003
【図２】
2007042504.tif 000004
【図３】
2007042504.tif 000005
【図４】
2007042504.tif 000006
【図５】
2007042504.tif 000007
【図６】
2007042504.tif 000008
【図７】
2007042504.tif 000009